(57)【要約】【課題】紙幣の精査に掛かる時間を低減させるための手段を提供する。【解決手段】自動精査の際に、収納庫８ａを空の状態にし、収納庫８ｂに収納した紙幣を紙幣鑑別部５に搬送して鑑別、計数した後、空の状態の収納庫８ａに収納していくことで、収納庫８ｂを空の状態にし、同様の動作で他の収納庫８ｃ、８ｄ内の紙幣を鑑別、計数する。【選択図】図１
2010108160.tif 000002
【特許請求の範囲】
【請求項１】
貨幣受入部から入金された貨幣および出金する貨幣を収納する複数の収納庫と、貨幣を鑑別、計数する鑑別部とを有し、顧客との取引を自動で行う自動取引装置であって、
貨幣の精査の際に、前記収納庫の内１つを貨幣が収納されていない空の状態にし、他の収納庫の１つに収納された貨幣を前記鑑別部に送って鑑別、計数した後、前記空の状態の収納庫に収納していくことで、新たな空の状態の収納庫を作り、同様の動作ですべての収納庫内の貨幣を鑑別、計数することを特徴とする自動取引装置。
【請求項２】
請求項１に記載の自動取引装置において、
貨幣の精査の際に、空の状態の収納庫が１つできるように、精査前の取引で特定の収納庫から貨幣を優先的に出金することを特徴とする自動取引装置。
【請求項３】
請求項１に記載の自動取引装置において、
複数の前記収納庫は、同一金種の貨幣を収納し、
貨幣の精査を行う際に空の状態の収納庫が無いとき、収納している貨幣が最も少ない収納庫から他の収納庫へと全ての貨幣を移すことで、空の状態の収納庫を作ることを特徴とする自動取引装置。
【請求項４】
請求項３に記載の自動取引装置において、
収納している貨幣が最も少ない収納庫からの貨幣の全てが他の収納庫へ移すことができなかったときに、残った貨幣を前記貨幣受入部に集積することで、空の状態の収納庫を作ることを特徴とする自動取引装置。
【請求項５】
請求項１に記載の自動取引装置において、
複数の前記収納庫は、金種ごとに貨幣を収納しており、
貨幣の精査を行う際に空の状態の収納庫が無いとき、最も貨幣の枚数が少ない収納庫からの貨幣を他の収納庫の１つに移して２金種を混在させると共に、空の状態の収納庫を作り、
金種を混在させた収納庫以外の収納庫の貨幣を鑑別、計数して空の状態の収納庫に収納し、
金種を混在させた収納庫以外のすべての収納庫の貨幣を鑑別、計数して別の収納庫に収納した後、２金種を混在させた収納庫の１金種の貨幣を既に鑑別、計数貨幣を収納した収納庫に移すと共に、残った金種の貨幣を鑑別計数して空の状態の収納庫に収納して空の状態の収納庫を作り、
前記別の収納庫に収納した金種の貨幣を鑑別、計数して空の状態の収納庫に収納することを特徴とする自動取引装置。
【請求項６】
請求項１から請求項４または請求項５に記載の自動取引装置において、
リジェクト貨幣収納部を有し、
前記鑑別部でリジェクト貨幣と鑑別した貨幣を前記受入部に集積し、別の収納庫の貨幣の精査を行う前に、前記受入部に集積したリジェクト貨幣を前記鑑別部による再鑑別を行い、再鑑別の結果正券と鑑別した貨幣は収納庫に収納して、再鑑別を所定回数行ってリジェクト貨幣と鑑別した貨幣は前記リジェクト貨幣収納部に収納することを特徴とする自動取引装置。
【発明の詳細な説明】
【技術分野】
【０００１】
本発明は、金融機関に設置された自動取引装置に関し、特に収納した現金の精査を行う方法に関する。
【背景技術】
【０００２】
従来の自動取引装置は、紙幣としての千券を収容する千券収容箱と、万券を収容する万券収容箱、満杯となった千券収容箱の千券を入金する入金箱、帯封した千券を収容する帯封千券収容箱、帯封した万券を収容する帯封万券収容箱、損券を収容する損券収容部を備えている（例えば、特許文献１参照。）。
このような自動取引装置は、構造がシンプルで低コスト型の自動取引装置で使用されており、補充回収カセットは搭載されていないものとなっている。
【特許文献１】特開昭６０−２４１１５９号公報（第２頁右欄段落６行目−第２頁右欄段落３４行目、第１図）
【発明の開示】
【発明が解決しようとする課題】
【０００３】
上述した従来の技術においては、金融機関での業務が終了して自動取引装置内の紙幣の精査を行うために紙幣の回収を行う場合、係員は各収容箱に収容されている紙幣を取り出してその紙幣を計数していくので、係員の計数間違い等の人為的なミスが起こることがあり紙幣の計数に手間取ってしまい、紙幣の精査に時間が掛かってしまうという問題がある。
【０００４】
本発明は、上記の問題点を解決するための手段を提供することを目的とする。
【課題を解決するための手段】
【０００５】
本発明は、上記課題を解決するために、貨幣受入部から入金された貨幣および出金する貨幣を収納する複数の収納庫と、貨幣を鑑別、計数する鑑別部とを有し、顧客との取引を自動で行う自動取引装置であって、貨幣の精査の際に、前記収納庫の内１つを貨幣が収納されていない空の状態にし、他の収納庫の１つに収納された貨幣を前記鑑別部に送って鑑別、計数した後、前記空の状態の収納庫に収納していくことで、新たな空の状態の収納庫を作り、同様の動作ですべての収納庫内の貨幣を鑑別、計数することを特徴とする。
【発明の効果】
【０００６】
これにより、本発明は、係員の手で計数させることなく紙幣の精査を行うために、係員による紙幣の計数間違い等の人為的ミスを無くし、また係員にとって紙幣を計数する手間を省くことができ、よって業務効率を向上させることができるという効果が得られる。
【発明を実施するための最良の形態】
【０００７】
以下に、図面を参照して本発明による自動取引装置の実施例について説明する。
【実施例１】
【０００８】
図１は実施例１の自動取引装置の構成を示す説明図である。
図１において、１は自動取引装置である。
２は紙幣受入部であり、紙幣を集積して収納するための収納空間を有して、その収納空間内に図１における左右方向に移動可能なビルプレス２ａと、収納空間内に一部が突出している繰出ローラ２ｂとを設ける。
【０００９】
上記ビルプレス２ａと繰出ローラ２ｂ間の空間、つまり図１のビルプレス２ａの左側の空間は、自動取引装置１の紙幣投入口から投入された紙幣を収納し、また出金取引処理で顧客へ払い出す紙幣を収納するための収納空間となる。
また、図１に示すビルプレス２ａの右側の空間は、顧客によって投入された紙幣の内、紙幣鑑別部５で偽券や金種不明と鑑別されたリジェクト紙幣を集積する紙幣返却部６として機能する。
【００１０】
紙幣受入部２は、ビルプレス２ａと繰出ローラ２ｂとからなる分離機構を備えており、自動取引装置１の紙幣投入口から投入された紙幣をビルプレス２ａによって繰出ローラ２ｂに押圧し、繰出ローラ２ｂを回転させることで、紙幣を搬送路３に繰出す機能を有する。
３は搬送路であり、紙幣受入部２から繰出された紙幣が自動取引装置１の各部へと至るように延びており、その途中にブレードを複数設けてこのブレードを動かすことで紙幣の搬送方向が切り替わるようになっている。
【００１１】
また搬送路３の各所には光学式等の検知センサ４が複数設けられており、この検知センサ４によって搬送されている紙幣を検知する他、重送や搬送ジャム等の搬送エラーを検知する。
５は紙幣鑑別部であり、搬送される紙幣の真偽や正損、金種等を鑑別すると共に鑑別した紙幣の枚数を計数する機能を有する。
【００１２】
７は一時保留部であり、紙幣鑑別部５で正券と鑑別され、計数された紙幣を集積して一時保留する。また一時保留している紙幣を搬送路３へと繰出す繰出手段を備えている。
８は自動取引装置１の筐体から着脱可能な複数の収納庫８ａ、８ｂ、８ｃ、８ｄからなる紙幣収納部であり、各収納庫８ａ、８ｂ、８ｃ、８ｄには予め定められた金種の紙幣を一定枚数収納するように構成される。
【００１３】
なお、収納庫８ａ、８ｂ、８ｃ、８ｄは全て同一の形状を成すものである。
収納庫８ａ、８ｂ、８ｃ、８ｄは、収納した紙幣を搬送路３に繰出すための繰出手段を備えている。
１０はリジェクト紙幣収納部（リジェクト貨幣収納部）であり、収納庫８ａ、８ｂ、８ｃ、８ｄから出金される紙幣の内、紙幣鑑別部５でリジェクト紙幣（例えば、重送紙幣等）と鑑別された紙幣を収納する。
【００１４】
１１は取り忘れ紙幣集積部であり、出金取引処理で顧客に払出すために紙幣受入部２に集積した紙幣の内、顧客が取り忘れて紙幣受入部２に残った紙幣を集積する。
そのため、顧客に払出すために紙幣受入部２に集積した紙幣を顧客が取り忘れた場合は、その紙幣を紙幣受入部２から搬送路３に繰出し、搬送路３によって取り忘れ紙幣集積部１１に搬送するようになる。
【００１５】
１２は損券収納部であり、入金取引処理で顧客により投入されて紙幣鑑別部５で金種を鑑別できたが、出金取引には使用できない程度の損傷やしわ等がある損券を収納する。
図２は実施例１の自動取引装置を示すブロック図である。
１３は制御部であり、記憶部１４に格納された制御プログラムに従って自動取引装置１の各部を制御し、各種処理を遂行する。
【００１６】
１４は記憶部であり、制御プログラムを格納する他、制御部１３による処理結果や各収納庫８ａ〜８ｂに収納されている紙幣枚数等を記憶する。
１５は係員表示操作部であり、ＬＣＤ等の表示画面と、その表面に透明な入力キーを配したタッチパネルや筐体に差し込まれて自動取引装置１の動作モードを切替える監査キー等の操作部とによってなる。
【００１７】
係員表示操作部１５は、金融機関の係員によって自動取引装置１に紙幣の装填や回収等の処理を実行するための操作画面を表示し、その操作画面で押下されたキーに定義された情報を受け付ける。
上述した構成の作用について説明する。
先ず、自動取引装置１を稼働させる準備等で、計数済みの枚数確定された紙幣を収納した収納庫８ａ〜８ｄを自動取引装置１に装填する場合、係員は予め係員表示操作部１５の監査キーを回してスーパバイザーモードにすることによって、自動取引装置１が各種取引処理について動作しない状態にしてから、収納庫８ａ〜８ｄを装填する。
【００１８】
その後、係員は係員表示操作部１５により保守ユーティリティを起動して収納庫８ａ〜８ｄのいずれかに対して分離優先および集積縮退の機能制限設定を行う。
本実施例においては、収納庫８ａに対して分離優先・集積縮退の機能制限設定を行うものとし、これにより、収納庫８ａは顧客の入金した紙幣の収納には使用されず顧客への出金にのみ使用されるように設定される。
【００１９】
そして、係員は監査キーを回してスーパバイザーモードから各種取引処理を実行可能なモードに切替えて自動取引装置１を稼働可能な状態にする
次に収納庫８ａ内の紙幣を全て繰出したことに伴って、自動取引装置１内の紙幣の精査を行うときの動作を説明する。
ここで、図３は実施例１の収納庫８ｂ内の紙幣を計数する場合を示す説明図であり、（ａ）は紙幣を収納庫８ｂから一時保留部７へと搬送した様子を示し、（ｂ）は一時保留部７に溜まった紙幣を収納庫８ａに搬送した様子を示し、（ｃ）は全ての紙幣を収納庫８ａに搬送した様子を示している。
【００２０】
自動取引装置１に収納されている紙幣の精査を行う場合、係員は監査キーを回すことでスーパバイザーモードにし、紙幣の自動精査処理を開始させる入力操作を係員表示操作部１５で行う。
制御部１３は、収納庫８ｂ〜８ｄに収納された紙幣の計数動作を開始する。
先ず収納庫８ｂ内の紙幣の計数を行うために、制御部１３は収納庫８ｂに設けた繰出し手段によって１枚ずつ紙幣を分離して搬送路３に繰出す。
【００２１】
制御部１３は、図３（ａ）に示すように搬送路３に繰出した紙幣を順次紙幣鑑別部５に搬送し、紙幣鑑別部５で紙幣の鑑別を行い、その鑑別結果から正券であることを確認した紙幣を精査済み紙幣としてその枚数を計数し、精査済み紙幣を一時保留部７へと搬送して集積する。
制御部１３は、その精査済み紙幣の枚数を金種に関連づけて記憶部１４に記憶するようにし、その際に紙幣の金種は紙幣鑑別部５による鑑別で認識しているものとする。
【００２２】
一方、紙幣鑑別部５によって正券と鑑別できなかった紙幣（リジェクト紙幣）については、損券収納部１２へと搬送して集積する。
なお、一時保留部７に集積可能な紙幣の枚数は収納庫８ａ〜８ｄに収納可能な紙幣枚数に比べて少ない。
そのため、制御部１３は、予め所定枚数（例えば、一時保留部７に集積可能な紙幣枚数）分の紙幣を収納庫８ｂから繰出すものとし、所定枚数の紙幣を繰出して一時保留部７に精査済み紙幣を搬送した後は、収納庫８ｂからの紙幣の繰出しを停止し、図３（ｂ）に示すように一時保留部７に集積している精査済み紙幣を収納庫８ａに搬送して収納する。
【００２３】
制御部１３は、一時保留部７に集積している精査済み紙幣を収納庫８ａに搬送して収納した後、収納庫８ｂ内の紙幣の繰出しを再開する。
制御部１３は、図３（ｃ）に示すように収納庫８ｂから紙幣が無くなるまで、所定枚数ずつ紙幣を繰出して紙幣鑑別部５で紙幣の鑑別、計数を行い、精査済み紙幣を一時保留部７へと搬送して集積し、その集積した精査済み紙幣を収納庫８ａに搬送して収納する。
【００２４】
制御部１３は、このとき計数した精査済み紙幣の枚数をその金種に対応し、記憶部１４に記憶している精査済み紙幣の枚数に加えて記憶する。
こうして収納庫８ｂ内の紙幣の内、精査済み紙幣は全て収納庫８ａに移し、正券と鑑別できなかった紙幣は損券収納部１２へと移すことで、収納庫８ｂ内は空となる。
次に、収納庫８ｃ内の紙幣の計数を行う場合について説明する。
【００２５】
図４は実施例１の収納庫８ｃ内の紙幣を計数する場合を示す説明図であり、（ａ）は紙幣を収納庫８ｃから一時保留部７へと搬送した様子を示し、（ｂ）は一時保留部７に溜まった紙幣を収納庫８ｂに搬送した様子を示し、（ｃ）は全ての紙幣を収納庫８ｂに搬送した様子を示している。
制御部１３は、上記した収納庫８ｂから紙幣を繰出す場合と同様にして、収納庫８ｃから所定枚数の紙幣を搬送路３に繰出し、繰出した紙幣を搬送路３によって順次紙幣鑑別部５に搬送し、紙幣鑑別部５で紙幣の鑑別を行い、その鑑別結果から正券であることを確認した紙幣を精査済み紙幣としてその枚数を計数し、精査済み紙幣を図４（ａ）に示すように一時保留部７に搬送して集積する。
【００２６】
制御部１３は、計数した精査済み紙幣の枚数を金種に関連づけて記憶部１４に記憶するようにし、その際に紙幣の金種は紙幣鑑別部５による鑑別で認識しているものとする。
一方、制御部１３は、紙幣鑑別部５によって正券と鑑別できなかった紙幣（リジェクト紙幣）については、損券収納部１２へと搬送して集積する。
制御部１３は、精査済み紙幣を一時保留部７へ搬送した後は、収納庫８ｃからの紙幣の繰出しを停止し、図４（ｂ）に示すように一時保留部７に集積している精査済み紙幣を空の状態の収納庫８ｂに搬送して収納する。
【００２７】
一時保留部７に集積しているすべての精査済み紙幣を収納庫８ｂに搬送して収納すると、収納庫８ｃからの紙幣の繰出しを再開する。
制御部１３は、図４（ｃ）に示すように収納庫８ｃから紙幣が無くなるまで、紙幣を繰出して紙幣鑑別部５で紙幣の鑑別、計数を行った精査済み紙幣を一時保留部７へ搬送して集積し、その集積した精査済み紙幣を収納庫８ｂに搬送して収納していく。
【００２８】
制御部１３は、このとき計数した精査済み紙幣の枚数をその金種に対応し、記憶部１４に記憶している精査済み紙幣の枚数に加えて記憶する。
こうして収納庫８ｃ内の紙幣の内、精査済み紙幣を収納庫８ｂに移し、正券と鑑別できなかった紙幣を損券収納部１２へと移すことで、収納庫８ｃ内は空となる。
次に、収納庫８ｄ内の紙幣の計数を行う場合について説明する。
【００２９】
図５は実施例１の収納庫８ｄ内の紙幣を計数する場合を示す説明図であり、（ａ）は紙幣を収納庫８ｄから一時保留部７へと搬送した様子を示し、（ｂ）は一時保留部７に溜まった紙幣を収納庫８ｃに搬送した様子を示し、（ｃ）は全ての紙幣を収納庫８ｃに搬送した様子を示している。
制御部１３は、上記した収納庫８ｂおよび収納庫８ｃから紙幣を繰出す場合と同様にして、収納庫８ｄから所定枚数の紙幣を分離して搬送路３に繰出し、その紙幣を搬送路３によって順次紙幣鑑別部５に搬送し、紙幣鑑別部５で紙幣の鑑別、計数を行い、鑑別結果から正券であることを確認した紙幣を精査済み紙幣としてその枚数を計数し、精査済み紙幣を図５（ａ）に示すように一時保留部７に搬送する。
【００３０】
制御部１３は、精査済み紙幣の枚数を計数して、その精査済み紙幣枚数をその紙幣の金種に関連づけて記憶部１４に記憶する。
一方、制御部１３は、紙幣鑑別部５によって正券と鑑別できなかった紙幣（リジェクト紙幣）については、損券収納部１２へと搬送して集積する。
制御部１３は、一時保留部７に精査済み紙幣を搬送した後は、収納庫８ｄからの紙幣の繰出しを停止し、図５（ｂ）に示すように一時保留部７に集積している精査済み紙幣を空の状態の収納庫８ｃに搬送して収納する。
【００３１】
一時保留部７に集積している精査済み紙幣を収納庫８ｃに搬送して収納すると、収納庫８ｄからの紙幣の繰出しを再開する。
制御部１３は、図５（ｃ）に示すように収納庫８ｄから紙幣が無くなるまで、紙幣を繰出して紙幣鑑別部５で紙幣の鑑別、計数を行って精査済み紙幣を一時保留部７へ搬送して集積し、その集積した精査済み紙幣を収納庫８ｃに搬送して収納する。
【００３２】
制御部１３は、このとき計数した精査済み紙幣の枚数をその金種に対応し、記憶部１４に記憶している精査済み紙幣の枚数に加えて記憶する。
こうして収納庫８ｄ内の紙幣の内、精査済み紙幣は全て収納庫８ｃに移し、正券と鑑別できなかった紙幣は損券収納部１２へと移す。
なお、損券収納部１２へと搬送した紙幣については係員が手で計数するものとする。
【００３３】
以上説明したように、本実施例では、収納庫が１つ空になった状態のときに自動精査を開始し、紙幣を収納している１つの収納庫から紙幣を繰出し紙幣鑑別部で鑑別、計数して、正券である紙幣を空の状態の収納庫に収納すると共に、新たな空の状態の収納庫を作っていき、同様の動作によって他の収納庫内の紙幣を鑑別、計数していくことで、自動精査で紙幣枚数の計数を行うことができるため、精査で各収納庫を外部に引き出すことが無くなり、人手による計数間違い等の人為的ミスを無くすことができる。
【００３４】
また、自動精査とすることで精査に掛かる時間が短縮し、業務効率を向上させることができる。
さらに、係員による紙幣を計数する手間を省いた分、係員が他の業務に専念できるため、業務効率を向上させることができる。
加えて、係員が紙幣を計数するために収納庫から紙幣を取り出すということが無くなり、係員が大量の紙幣に触れる機会が無くなるため係員の不正を防止することができる。
【実施例２】
【００３５】
本実施例の自動取引装置１の構成は上記実施例１の自動取引装置１と同様であるが、本実施例の自動取引装置１は同一金種の紙幣を取り扱うものであって、上記実施例１の収納庫８ａ〜８ｄには紙幣が金種別に収納されているのに対し、本実施例では収納庫８ａ〜８ｄには同一金種の紙幣が収納されている点が相違する。
上述した構成における自動精査の処理について説明する。
【００３６】
本実施例における自動精査は、各収納庫８ａ〜８ｄに収納された同一金種の紙幣の計数処理で収納庫８ａ〜８ｄが空になっていない状態から開始する。
自動精査を行う際に、制御部１３は記憶部１４に記憶している収納庫８ａ〜８ｄに収納している紙幣枚数の合計が収納庫３つ分の紙幣の収納枚数よりも少ないことを確認する。
制御部１３は、記憶部１４に記憶している各収納庫８ａ〜８ｄに収納している紙幣枚数をもとに、最も紙幣枚数が少ない収納庫と次に少ない収納庫とを認識する。
【００３７】
本実施例においては、収納庫８ａ内の紙幣枚数が最も少なく、収納庫８ｂ内の紙幣枚数が次に少ないものとする。
図６は実施例２の収納庫８ａ内の紙幣を収納庫８ｂへと移した様子を示す説明図であり、（ａ）は収納庫８ａから一時保留部７へ紙幣を移す様子を示し、（ｂ）は一時保留部７に所定枚数集積した紙幣を収納庫８ｂに移す様子を示し、（ｃ）は収納庫８ａから全ての紙幣を収納庫８ｂに移した様子を示している。
【００３８】
一時保留部７に集積可能な紙幣の枚数は収納庫８ａ〜８ｄに収納可能な紙幣枚数に比べて少ないため、制御部１３は、所定枚数（例えば、一時保留部７に集積可能な紙幣枚数）分の紙幣を収納庫８ａから繰出し、図６（ａ）に示すように繰出した紙幣を搬送路３によって紙幣鑑別部５へ搬送し、紙幣鑑別部５で正券と鑑別した紙幣を一時保留部７へ搬送して集積する。
【００３９】
一方、制御部１３は、紙幣鑑別部５によって正券と鑑別できなかった紙幣（リジェクト紙幣）は損券収納部１２へと搬送して集積するものとし、以降の処理において発生する正券と鑑別できなかった紙幣については全て損券収納部１２へと搬送するものとする。
なお、損券収納部１２へと搬送した紙幣については自動精査の後、係員が手で計数するものとする。
【００４０】
制御部１３は、繰出した所定枚数の紙幣の鑑別を行い、正券と鑑別した紙幣を一時保留部７へ搬送した後、図６（ｂ）に示すように一時保留部７から収納庫８ｂへと紙幣を搬送して収納する。
制御部１３は、図６（ｃ）に示すように収納庫８ａから紙幣が無くなるまで、紙幣を繰出して紙幣鑑別部５で紙幣の鑑別を行い、正券と鑑別した紙幣を一時保留部７へ搬送して集積し、その集積した紙幣を収納庫８ｂに搬送して収納し、収納庫８ａを空の状態にする。
【００４１】
上記のようにし収納庫８ａ内を空の状態にして、制御部１３は上記実施例１と同様にして収納庫８ｂ〜８ｄ内の紙幣の自動精査を行う。
そのため、先ず制御部１３は、収納庫８ｂ内の紙幣を搬送路３に繰出し、搬送路３により紙幣を紙幣鑑別部５に搬送し、紙幣鑑別部５で紙幣が正券であることを確認し一時保留部７に搬送して集積し、集積した紙幣を精査済み紙幣として収納庫８ａに搬送して収納していく。
【００４２】
このとき制御部１３は、紙幣鑑別部５によって正券と鑑別した紙幣を精査済み紙幣としその枚数を計数して、その精査済み紙幣枚数をその紙幣の金種に関連づけて記憶部１４に記憶する。
次に、制御部１３は収納庫８ｃ内の紙幣を搬送路３に繰出し、搬送路３により紙幣を紙幣鑑別部５に搬送し、紙幣鑑別部５で紙幣が正券であることを確認し一時保留部７に搬送して集積し、集積した紙幣を精査済み紙幣として収納庫８ｂに搬送して収納していく。
【００４３】
このとき制御部１３は、紙幣鑑別部５によって正券と鑑別した紙幣を精査済み紙幣としその枚数を計数して、その精査済み紙幣枚数をその紙幣の金種に関連づけて記憶部１４に記憶する。
次に、制御部１３は収納庫８ｄ内の紙幣を搬送路３に繰出して搬送路３によって紙幣鑑別部５に搬送し、紙幣鑑別部５で紙幣が正券であることを確認し一時保留部７に搬送して集積し、集積した紙幣を精査済み紙幣として収納庫８ｃに搬送して収納していく。
【００４４】
このとき制御部１３は、紙幣鑑別部５によって正券と鑑別した紙幣を精査済み紙幣としその枚数を計数して、その精査済み紙幣枚数をその紙幣の金種に関連づけて記憶部１４に記憶する。
以上説明したように、本実施例は、上記実施例１の効果に加えて、収納している枚数が最も少ない収納庫の紙幣を次に収納している枚数が少ない収納庫に移し、空の状態の収納庫を設けるようにするため、自動精査を開始する際に空の状態の収納庫が無くても自動精査を行うことができる。
【実施例３】
【００４５】
本実施例の自動取引装置１は上記実施例２と同様に同一金種の紙幣を取り扱うものである。
上記実施例２では紙幣枚数の合計が収納庫３つ分の紙幣の収納枚数よりも少ない場合での自動精査であるのに対し、本実施例では紙幣枚数の合計が収納庫３つ分の紙幣の収納枚数より多い場合の自動精査に関する内容である。
【００４６】
自動精査を行う際に、制御部１３は記憶部１４に記憶している収納庫８ａ〜８ｄに収納している紙幣枚数の合計が収納庫３つ分の紙幣の収納枚数よりも多いことを確認する。
制御部１３は、記憶部１４に記憶している各収納庫８ａ〜８ｄに収納している紙幣枚数をもとに、最も紙幣枚数が少ない収納庫、２番目に少ない収納庫、３番目に少ない収納庫を認識する。
【００４７】
本実施例においては、収納庫８ａ内の紙幣枚数が最も少なく、収納庫８ｂ内の紙幣枚数が２番目に少なく、収納庫８ｃ内の紙幣が３番目に少ないものとし、収納庫８ｄには既に紙幣が満杯まで収納されているものとする。
図７は実施例３の収納庫８ａの紙幣を収納庫８ｂへ移した様子を示す説明図であり、（ａ）は収納庫８ａから一時保留部７へ紙幣を移す様子を示し、（ｂ）は収納庫８ｂ内が満杯になった様子を示している。
【００４８】
制御部１３は、所定枚数の紙幣を収納庫８ａから繰出し、図７（ａ）に示すように繰出した紙幣を搬送路３によって紙幣鑑別部５へ搬送し、紙幣鑑別部５で正券と鑑別した紙幣を一時保留部７へ搬送して集積する。
一方、制御部１３は、紙幣鑑別部５によって正券と鑑別できなかった紙幣（リジェクト紙幣）は損券収納部１２へと搬送して集積するものとし、以降の処理において発生する正券と鑑別できなかった紙幣については全て損券収納部１２へと搬送するものとする。
【００４９】
なお、損券収納部１２へと搬送した紙幣については自動精査の後、係員が手で計数するものとする。
制御部１３は、繰出した所定枚数の紙幣全ての鑑別を行い、鑑別した内の正券を一時保留部７へ搬送した後、一時保留部７から２番目に紙幣の枚数が少ない収納庫８ｂへ紙幣を搬送して収納する。
【００５０】
制御部１３は、図７（ｂ）に示すように収納庫８ｂが満杯となるまで、上記のように収納庫８ａから紙幣を繰出して紙幣鑑別部５で正券であることを確認して一時保留部７に集積し、集積した紙幣を収納庫８ｂに搬送して収納する。
なお、一時保留部７に紙幣が残った状態で収納庫８ｂが満杯となったときは、残った紙幣は３番目に紙幣が少ない収納庫８ｃに搬送して収納するようにする。
【００５１】
図８は実施例３の収納庫８ａの紙幣を収納庫８ｃへ移した様子を示す説明図であり、（ａ）は収納庫８ａから一時保留部７へ紙幣を移す様子を示し、（ｂ）は収納庫８ｃ内が満杯になった様子を示している。
制御部１３は、所定枚数の紙幣を収納庫８ａから繰出し、図８（ａ）に示すように繰出した紙幣を搬送路３によって紙幣鑑別部５へ搬送し、紙幣鑑別部５で正券と鑑別した紙幣を一時保留部７へ搬送して集積する。
【００５２】
制御部１３は、繰出した所定枚数の紙幣全ての鑑別を行い、鑑別した内の正券を一時保留部７へ搬送した後、一時保留部７から２番目に紙幣の枚数が少ない収納庫８ｃへ紙幣を搬送して収納する。
制御部１３は、図８（ｂ）に示すように収納庫８ｃが満杯となるまで、上記のように収納庫８ａから紙幣を繰出して紙幣鑑別部５で正券であることを確認して一時保留部７に集積した紙幣を収納庫８ｃに搬送して収納していく。
【００５３】
図９は実施例３の収納庫８ａの紙幣を紙幣受入部２へ搬送した様子を示す説明図である。
制御部１３は、記憶部１４から収納庫８ｂ〜８ｄに収納している紙幣枚数を認識することで、各収納庫８ｂ〜８ｄが満杯であることを認識すると、図９に示すように収納庫８ａに収納している全ての紙幣を繰出して紙幣鑑別部５に搬送して、紙幣鑑別部５で正券であることを確認して紙幣受入部２に搬送して集積する。
【００５４】
なお、上記で収納庫８ｃが満杯となったときに一時保留部７に残った紙幣についても紙幣受入部２に搬送するものとする。
なお、紙幣を紙幣受入部２に集積しているとき、ビルプレス２ａを繰出ローラ２ｂと反対側の端部へと移動させる、ビルプレス２ａと繰出ローラ２ｂとの間に紙幣を集積させるようにする。
【００５５】
このようにして、紙幣が最も少ない収納庫８ａから各収納庫８ｂ、８ｃが満杯となるまで紙幣を移すと共に、残った紙幣を全て紙幣受入部２に搬送することによって収納庫８ａを空の状態とする。
そして、制御部１３は上記実施例２と同様の方法で収納庫８ｂ、８ｃ、８ｄ内の紙幣の鑑別、計数を行っていくため、収納庫８ｂ内の紙幣は鑑別、計数されて精査済み紙幣として収納庫８ａに収納され、収納庫８ｃ内の紙幣は鑑別、計数されて精査済み紙幣として収納庫８ｂに収納され、収納庫８ｄ内の紙幣は鑑別、計数されて精査済み紙幣枚数として収納庫８ｃに収納される。
【００５６】
ここで、図１０は実施例３の紙幣受入部２内の紙幣を精査する処理を示す説明図であり、（ａ）は紙幣を一時保留部７に搬送した様子を示し、（ｂ）は一時保留部から収納部８ｄに搬送した様子を示している。
制御部１３は、紙幣受入部２内の紙幣の精査を行うため、紙幣受入部２のビルプレス２ａによって集積している紙幣を繰出ローラ２ｂ側に押圧すると共に、繰出ローラ２ｂを回転させ、その繰出ローラ２ｂの回転によって紙幣を１枚ずつ分離して搬送路３へと繰出していく。
【００５７】
制御部１３は、図１０（ａ）に示すように搬送路３によって紙幣を紙幣鑑別部５に搬送し紙幣鑑別部５によって正券と確認した紙幣を精査済み紙幣として一時保留部７に搬送する。
このとき制御部１３は、紙幣鑑別部５によって正券と鑑別した精査済み紙幣の枚数を計数して、その精査済み紙幣枚数をその紙幣の金種に対応し、記憶部１４に記憶している精査済み紙幣の枚数に加えて記憶する。
【００５８】
制御部１３は、一時保留部７に集積した精査済み紙幣を図１０（ｂ）に示すように収納庫８ｄに搬送して収納する。
以上説明したように、本実施例は、上記各実施例の効果に加え、自動精査を開始する際に収納している紙幣が最も少ない収納庫から他の収納庫へ紙幣を移しても、空の状態の収納庫を設けることができない場合でも、他の収納庫へ移すことができず残ってしまった紙幣を紙幣受入部に移すことができ、よって空の状態の収納庫を設けることができる。
【実施例４】
【００５９】
本実施例の自動取引装置１の構成は、上記実施例１の自動取引装置１と同様であって、かつ収納庫８ａ〜８ｄには金種別に紙幣が収納されるようになっている。
本実施例の構成における自動精査の処理について説明する。
なお、本実施例では各収納庫８ａ〜８ｄに紙幣が収納されているものとする。
制御部１３は、自動精査を行う際に記憶している各収納庫８ａ〜８ｄに収納している紙幣枚数をもとに、収納庫８ａが最も紙幣が少なく、収納庫８ｂが次に紙幣が少ないことを認識し、かつ収納庫８ａ内のすべての紙幣を収納庫８ｂに紙幣を移すことができることを確認する。
【００６０】
図１１は実施例４の収納庫８ａから収納庫８ｂへ紙幣を移した様子を示す説明図であり、（ａ）は収納庫８ａの紙幣を一時保留部７に移す様子を示し、（ｂ）は一時保留部７から収納庫８ｂに移す様子を示している。
制御部１３は、収納庫８ａに収納している紙幣を所定枚数だけ繰出し、図１１（ａ）に示すように、繰出した紙幣を搬送路３によって紙幣鑑別部５へ搬送し、紙幣鑑別部５で鑑別して正券であることを確認して一時保留部７へと搬送して集積する。
【００６１】
一時保留部７に紙幣を集積すると、その集積した紙幣を搬送路３に繰出して収納庫８ｂに搬送する。
一方、制御部１３は、紙幣鑑別部５によって正券と鑑別できなかった紙幣（リジェクト紙幣）は損券収納部１２へと搬送して集積するものとし、以降の処理において発生する正券と鑑別できなかった紙幣については全て損券収納部１２へと搬送するものとする。
【００６２】
なお、損券収納部１２へと搬送した紙幣については自動精査の後、係員が手で計数するものとする。
制御部１３は、上記の収納庫８ａから所定枚数の紙幣を繰出して紙幣鑑別部５を介し一時保留部７に紙幣を搬送して集積し、集積した紙幣を収納庫８ｂに搬送して収納する動作を収納庫８ａ内の紙幣が無くなるまで繰り返して行い、全ての紙幣を収納庫８ｂに移す。
【００６３】
制御部１３は、収納庫８ｂに移した紙幣（以下、移動紙幣という。）を検知センサ４によって検知し、その検知した回数をもとに移動紙幣の枚数を計数し、計数した移動紙幣の枚数を記憶部１４に記憶する。
これによって、収納庫８ｂには、元々収納している金種の紙幣の上に収納庫８ａに収納されていた紙幣が収納されて２種類の金種の紙幣を混在し、一方で収納庫８ａは空の状態となる。
【００６４】
図１２は実施例４の収納庫８ｃから収納庫８ａに紙幣を移した様子を示す説明図であり、（ａ）は収納庫８ｃから一時保留部７へ紙幣を移す様子を示し、（ｂ）は収納庫８ｃから全ての紙幣を収納庫８ａに移した様子を示している。
制御部１３は、収納庫８ｃに収納されている紙幣の精査を行うために収納庫８ｃから所定枚数の紙幣を繰出し、図１２（ａ）に示すように繰出した紙幣を搬送路３によって紙幣鑑別部５に搬送し、紙幣鑑別部５で鑑別して正券である紙幣を精査済み紙幣としてその枚数を計数し、精査済み紙幣を一時保留部７に搬送して集積する。
【００６５】
制御部１３は、計数した精査済み紙幣をその金種に関連づけて記憶部１４に記憶する。
制御部１３は、一時保留部７に集積した精査済み紙幣を搬送路３によって収納庫８ａに搬送して収納する。
制御部１３は、図１２（ｂ）に示すように収納庫８ｃから紙幣が無くなるまで、所定枚数ずつ紙幣を繰出して紙幣鑑別部５で紙幣の鑑別、計数を行い精査済み紙幣を一時保留部７へと搬送し、一時保留部７に集積した精査済み紙幣を収納庫８ａに搬送して収納する。
【００６６】
制御部１３は、このとき計数した精査済み紙幣の枚数をその金種に対応し、記憶部１４に記憶している精査済み紙幣の枚数に加えて記憶する。
図１３は実施例４の収納庫８ｄから収納庫８ｃに紙幣を移した様子を示す説明図であり、（ａ）は収納庫８ｄから一時保留部７へ紙幣を移す様子を示し、（ｂ）は収納庫８ｄから全ての紙幣を収納庫８ｃに移した様子を示している。
【００６７】
制御部１３は、収納庫８ｄに収納されている紙幣の精査を行うために収納庫８ｄから所定枚数の紙幣を繰出し、図１３（ａ）に示すように繰出した紙幣を搬送路３によって紙幣鑑別部５に搬送し、紙幣鑑別部５で正券であることを確認した紙幣を精査済み紙幣としてその枚数を計数し、精査済み紙幣を一時保留部７に搬送して集積する。
制御部１３は、計数した精査済み紙幣の枚数をその金種に関連づけて記憶部１４に記憶する。
【００６８】
制御部１３は、一時保留部７に集積した精査済み紙幣を搬送路３によって収納庫８ｃに搬送して収納する。
制御部１３は、図１３（ｂ）に示すように収納庫８ｄから紙幣が無くなるまで、所定枚数ずつ紙幣を繰出して紙幣鑑別部５で紙幣の鑑別、計数を行い精査済み紙幣を一時保留部７へと搬送し、一時保留部７に集積した精査済み紙幣を収納庫８ｃに搬送して収納する。
【００６９】
制御部１３は、このとき計数した精査済み紙幣の枚数をその金種に対応し、記憶部１４に記憶している精査済み紙幣の枚数に加えて記憶する。
次に制御部１３は、収納庫８ｂに収納した移動紙幣を別の収納庫に移すため、記憶部１４に記憶している収納庫８ａ、８ｄに収納された精査済み紙幣の枚数と移動紙幣の枚数とをもとに、移動紙幣を収納庫８ａあるいは収納庫８ｄに一旦移すことができるか否かを判断し、収納庫８ａに移すことが可能であることを確認する。
【００７０】
図１４は実施例４の収納庫８ｂから移動紙幣を収納庫８ａに移した様子を示す説明図であり、（ａ）は収納庫８ｂから一時保留部７へ紙幣を移す様子を示し、（ｂ）は収納庫８ｂから全ての移動紙幣を収納庫８ａに移した様子を示している。
制御部１３は、記憶している移動紙幣の枚数に従って収納庫８ｂに収納されている移動紙幣を所定枚数ずつ繰出し、図１４（ａ）に示すように繰出した移動紙幣を搬送路３によって一時保留部７に搬送して集積する。
【００７１】
制御部１３は、一時保留部７に集積した移動紙幣を搬送路３によって収納庫８ａに搬送して収納する。
制御部１３は、図１４（ｂ）に示すように収納庫８ｂから移動紙幣が無くなるまで、所定枚数ずつ紙幣を繰出して一時保留部７へと搬送して集積し、一時保留部７に集積した移動紙幣を収納庫８ａへ移していく。
【００７２】
これによって、収納庫８ｂ内は１種類の金種の紙幣のみが収納されている状態となる。
図１５は実施例４の収納庫８ｂから収納庫８ｄに紙幣を移した様子を示す説明図であり、（ａ）は収納庫８ｂから一時保留部７へ紙幣を移す様子を示し、（ｂ）は収納庫８ｂから全ての紙幣を収納庫８ｄに移した様子を示している。
制御部１３は、収納庫８ｂに収納されている紙幣の精査を行うために収納庫８ｂから所定枚数の紙幣を繰出し、図１５（ａ）に示すように繰出した紙幣を搬送路３によって紙幣鑑別部５に搬送し、紙幣鑑別部５で正券であることを確認した紙幣を精査済み紙幣としてその枚数を計数し、精査済み紙幣を一時保留部７に搬送して集積する。
【００７３】
制御部１３は、計数した精査済み紙幣の枚数をその紙幣の金種に関連づけて記憶部１４に記憶する。
制御部１３は、一時保留部７に集積した精査済み紙幣を搬送路３によって収納庫８ｄに搬送して収納する。
制御部１３は、図１５（ｂ）に示すように収納庫８ｂから紙幣が無くなるまで、所定枚数ずつ紙幣を繰出して紙幣鑑別部５で紙幣の鑑別、計数を行い正券と鑑別した紙幣を一時保留部７へと搬送し、一時保留部７に集積した紙幣を精査済み紙幣として収納庫８ｄに搬送して収納する。
【００７４】
制御部１３は、このとき計数した精査済み紙幣の枚数をその金種に対応し、記憶部１４に記憶している精査済み紙幣の枚数に加えて記憶する。
これにより収納庫８ｂが空の状態となる。
図１６は実施例４の収納庫８ａに収納した移動紙幣の精査を示す説明図であり、（ａ）は収納庫８ａから一時保留部７へ移動紙幣を移す様子を示し、（ｂ）は収納庫８ａから全ての移動紙幣を収納庫８ｂに移した様子を示している。
【００７５】
制御部１３は、収納庫８ａに収納した移動紙幣の精査を行うために収納庫８ａから移動紙幣を所定枚数だけ繰出し、図１６（ａ）に示すように移動紙幣を搬送路３によって紙幣鑑別部５に搬送し、紙幣鑑別部５で移動紙幣の鑑別、計数を行い、正券であることを確認したものを精査済み紙幣としてその枚数を計数し、精査済み紙幣を一時保留部７に搬送して集積する。
【００７６】
制御部１３は、精査済み紙幣の枚数を計数して、その精査済み紙幣枚数をその紙幣の金種に関連づけて記憶部１４に記憶する。
制御部１３は、一時保留部７に集積した精査済み紙幣を搬送路３によって収納庫８ｂに搬送して収納する。
制御部１３は、記憶している移動紙幣の枚数に従って、図１６（ｂ）に示すように収納庫８ａから移動紙幣が無くなるまで、移動紙幣を所定枚数ずつ繰出し紙幣鑑別部５で鑑別、計数を行い、精査済み紙幣を一時保留部７に集積して、その集積した精査済み紙幣を収納庫８ｂに搬送して収納していく。
【００７７】
制御部１３は、このとき計数した精査済み紙幣の枚数をその金種に対応し、記憶部１４に記憶している精査済み紙幣の枚数に加えて記憶する。
以上説明したように、本実施例は、上記実施例２の効果に加えて、各収納庫で異なる金種の紙幣を収納している場合であっても、紙幣の収納枚数が最も少ない収納庫内の紙幣を次に紙幣の収納枚数が少ない収納庫へと一時的に移すため、１つの収納庫を空の状態にすることができる。
【実施例５】
【００７８】
本実施例の自動取引装置１の構成は上記実施例４と同様であるが、上記実施例４では自動精査で紙幣鑑別部５が正券と鑑別しなかった紙幣（単にリジェクト紙幣という。）を損券収納部１２に搬送して集積するのに対し、本実施例では正券と鑑別しなかったリジェクト紙幣を紙幣受入部２に集積し、集積したリジェクト紙幣を紙幣鑑別部５に搬送して再鑑別を行う点が相違する。
【００７９】
本実施例においては、紙幣受入部２のビルプレス２ａを介して繰出ローラ２ｂの反対側に第２のビルプレス２０が配されている。
なお、第２のビルプレス２０は本実施例において用いる後述の図１７、図１８で示す。
また、ビルプレス２ａには図示しないスリットが設けられ、ビルプレス２ａが繰出ローラ２ｂと一致する箇所へと移動した時、図示しないスリットに繰出ローラ２ｂが入り込み互いの接触を避けると共に、そのスリットから繰出ローラ２ｂの一部が突出するようになる。
【００８０】
これによって、第２のビルプレス２０が紙幣を繰出ローラ２ｂ側に押圧しても紙幣を搬送路３へと繰出すことができる。
本実施例の記憶部１４は、紙幣の再鑑別回数の閾値（例えば３回）を格納すると共に、計数された紙幣の再鑑別回数を記憶する。
以下に本実施例の再鑑別処理の作用について説明する。
【００８１】
なお、ここでは収納庫８ａが空の状態で収納庫８ｂ内の紙幣の精査を上記実施例１と同様に行うことで、収納庫８ｂの紙幣を収納庫８ａに移しているものとする。ただしこのとき紙幣鑑別部５でリジェクト紙幣と鑑別された紙幣は紙幣受入部２に搬送し、ビルプレス２ａと繰出ローラ２ｂとの間に集積する。
図１７は実施例５の再鑑別処理によるリジェクト紙幣の搬送先を示す説明図であり、（ａ）紙幣の搬送経路を示し、（ｂ）は再鑑別によって正券とリジェクト紙幣に分けた様子を示している。
【００８２】
制御部１３は、再鑑別処理を開始する際に、記憶している再鑑別回数を初期値の“０”に１を加えて記憶し、記憶した再鑑別回数が閾値未満であることを確認する。
制御部１３は、紙幣受入部２に集積したリジェクト紙幣を繰出し、搬送路３によって紙幣鑑別部５に搬送し、紙幣鑑別部５で鑑別、計数を行い、正券は精査済み紙幣としてその枚数を計数する。そして精査済み紙幣を図１７に示すように、一時保留部７に搬送して集積し、鑑別結果がリジェクト紙幣であったものについては紙幣受入部２に搬送する。
【００８３】
そのため紙幣鑑別部５での再鑑別から正券とリジェクト紙幣の両方を鑑別した場合、図１７（ｂ）に示すように正券と鑑別したものは精査済み紙幣として一時保留部７に集積し、リジェクト紙幣は紙幣受入部２に集積し、再鑑別処理を行うようにしている。
なお、図１７（ｂ）に示すようにリジェクト紙幣は紙幣受入部２のビルプレス２ａよりも右側に位置するようになる。
【００８４】
制御部１３は、一時保留部７に集積した精査済み紙幣を繰出し搬送路３によって収納庫８ａへと搬送し収納する。
図１８は実施例５の２度目の再鑑別処理を行うための準備動作を示す説明図である。
制御部１３は、記憶している再鑑別回数に１を加えて再鑑別回数を更新すると共に、その再鑑別回数が閾値未満であることを確認すると、図１８に示すようにビルプレス２ａを繰出ローラ２ｂと一致する箇所へと移動させ、第２のビルプレス２０によって紙幣を繰出ローラ２ｂ側へ押圧することでリジェクト紙幣を搬送路３へと繰出す。
【００８５】
制御部１３は、搬送路３によってリジェクト紙幣を一時保留部７へと搬送すると共に、紙幣受入部２からリジェクト紙幣が無くなるのに合わせ、ビルプレス２ａおよび第２のビルプレス２０を図１８における紙幣受入部２の右端に移動させる。
そして、制御部１３は一時保留部７からリジェクト紙幣を繰出して紙幣受入部２に搬送することで、そのリジェクト紙幣をビルプレス２ａと繰出ローラ２ｂとの間に集積し、再鑑別処理のための準備動作を行い、上記と同様にして再鑑別処理を行う。
【００８６】
一方、制御部１３は記憶している再鑑別回数に１を加えて再鑑別回数を更新すると共に、その再鑑別回数が閾値となっていることを確認した場合は、第２のビルプレス２０によってリジェクト紙幣を繰出ローラ２ｂ側へ押圧することで、リジェクト紙幣を搬送路３へと繰出し、搬送路３によりリジェクト紙幣を一時保留部７へ搬送する。
制御部１３は、一時保留部７に集積したリジェクト紙幣を１枚ずつ繰出して紙幣鑑別部５へ搬送し、紙幣鑑別部５で鑑別、計数を行い正券と鑑別された紙幣については精査済み紙幣として収納庫８ａへ搬送して収納し、リジェクト紙幣と鑑別されたものについては損券収納部１２に搬送して集積する。
【００８７】
以上説明したように、本実施例は上記実施例４の効果に加えて、リジェクト紙幣の再鑑別処理を行うことで、損券収納部に集積されるリジェクト紙幣の枚数を減少させることができると共に、係員がリジェクト紙幣を手で計数する手間を軽減させることができる。
なお、上記各実施例においては、紙幣を取扱った場合を例に説明したが、硬貨を取扱う場合にも適用できる。
【図面の簡単な説明】
【００８８】
【図１】実施例１の自動取引装置の構成を示す説明図
【図２】実施例１の自動取引装置を示すブロック図
【図３】実施例１の収納庫８ｂ内の紙幣を計数する場合を示す説明図
【図４】実施例１の収納庫８ｃ内の紙幣を計数する場合を示す説明図
【図５】実施例１の収納庫８ｄ内の紙幣を計数する場合を示す説明図
【図６】実施例２の収納庫８ａ内の紙幣を収納庫８ｂへと移した様子を示す説明図
【図７】実施例３の収納庫８ａの紙幣を収納庫８ｂへ移した様子を示す説明図
【図８】実施例３の収納庫８ａの紙幣を収納庫８ｃへ移した様子を示す説明図
【図９】実施例３の収納庫８ａの紙幣を紙幣受入部２へ搬送した様子を示す説明図
【図１０】実施例３の紙幣受入部２内の紙幣を精査する処理を示す説明図
【図１１】実施例４の収納庫８ａから収納庫８ｂへ紙幣を移した様子を示す説明図
【図１２】実施例４の収納庫８ｃから収納庫８ａに紙幣を移した様子を示す説明図
【図１３】実施例４の収納庫８ｄから収納庫８ｃに紙幣を移した様子を示す説明図
【図１４】実施例４の収納庫８ｂから移動紙幣を収納庫８ａに移した様子を示す説明図
【図１５】実施例４の収納庫８ｂから収納庫８ｄに紙幣を移した様子を示す説明図
【図１６】実施例４の収納庫８ａに収納した移動紙幣の精査を示す説明図
【図１７】実施例５の再鑑別処理によるリジェクト紙幣の搬送先を示す説明図
【図１８】実施例５の２度目の再鑑別処理を行うための準備動作を示す説明図
【符号の説明】
【００８９】
１    自動取引装置
２    紙幣受入部
２ａ  ビルプレス
２ｂ  繰出ローラ
３    搬送路
４    検知センサ
５    紙幣鑑別部
６    紙幣返却部
７    一時保留部
８    紙幣収納部
８ａ、８ｂ、８ｃ、８ｄ  収納庫
１０  リジェクト紙幣収納部
１１  取り忘れ紙幣集積部
１２  損券収納部
１３  制御部
１４  記憶部
１５  係員表示操作部
２０  第２のビルプレス
【図１】
2010108160.tif 000003
【図２】
2010108160.tif 000004
【図３】
2010108160.tif 000005
【図４】
2010108160.tif 000006
【図５】
2010108160.tif 000007
【図６】
2010108160.tif 000008
【図７】
2010108160.tif 000009
【図８】
2010108160.tif 000010
【図９】
2010108160.tif 000011
【図１０】
2010108160.tif 000012
【図１１】
2010108160.tif 000013
【図１２】
2010108160.tif 000014
【図１３】
2010108160.tif 000015
【図１４】
2010108160.tif 000016
【図１５】
2010108160.tif 000017
【図１６】
2010108160.tif 000018
【図１７】
2010108160.tif 000019
【図１８】
2010108160.tif 000020